(57)【要約】【課題】給油対象物まで距離がある場合にも、給油作業中に給油量を確認することができ、１人で給油操作を円滑に行うことを可能とする可搬式流量計を提供する。【解決手段】第１及び第２ハウジング３、４からなり、流量を計測する計量部を収容するハウジング２と、ハウジングに備えられ、計測した流量を表示する表示部１６を有する第２基板１９と、表示部の表示が視認可能な表示窓１８ｙを有し、第２基板を覆うようにして第２ハウジングに装着される樹脂カバー１８とを含む表示器５と、ハウジングの流体流れの上流側及び下流側に設けられたフランジ３ｃ、３ｄとを備える可搬式流量計１。樹脂カバーを、第２ハウジングに対する向きを変更可能に装着し、第２基板を、表示部の表示が樹脂カバーの表示窓から視認可能となるように、第２ハウジングに対する表示窓の向きに応じて向きを変更可能に装着することにより、給油量の確認をより容易に行うことができる。【選択図】図１
2014238418.tif 000002
【特許請求の範囲】
【請求項１】
燃料配送車からの燃料油を、前記燃料配送車の荷卸口に連結された給油ホース及び給油ノズルを介して給油対象物に供給する燃料供給ユニットに用いられ、前記供給される燃料油の流量を計測する可搬式流量計であって、
第１ハウジング及び第２ハウジングからなり、流量を計測する計量部を収容するハウジングと、
該ハウジングに備えられ、計測した流量を表示する表示部を有する基板と、該表示部の表示が視認可能な表示窓を有し、前記基板を覆うようにして前記第２ハウジングに装着される樹脂カバーとを含む表示器と、
前記ハウジングの流体流れの上流側及び下流側に設けられた上流側フランジ及び下流側フランジとを備え、
前記樹脂カバーは、前記第２ハウジングに対して向きが変更可能に装着され、
前記基板は、前記表示部の表示が前記樹脂カバーの表示窓から視認可能となるように、前記第２ハウジングに対して前記表示窓の向きに応じて向きが変更可能に装着され、
前記給油ホースが前記上流側フランジに接続されると共に、前記給油ノズルが前記下流側フランジに接続されることを特徴とする可搬式流量計。
【発明の詳細な説明】
【技術分野】
【０００１】
本発明は、燃料配送車から直接車輌や家庭用タンクへ燃料油を供給する際等に用いられる可搬式流量計に関する。
【背景技術】
【０００２】
従来、燃料配送車から直接車輌等へ給油するには、燃料配送車の荷卸口に連結されるカップリングと、燃料油の流量を計測する流量計と、流量計で計測された流量の計測値を表示する表示器と、流量計の吐出口に接続された給油ホースと、給油ホースの先端に装着された給油ノズルとを備えた燃料給油ユニットが用いられる。
【０００３】
例えば、本出願人は、特願２０１１−１５５８０７において、災害発生時等に、地下タンク内の燃料油の給油が不可能な場合や、燃料配送車が給油所へ辿り着けないような場合でも、被災地等の車輌に燃料油を供給できる燃料供給ユニットを提案している。
【発明の概要】
【発明が解決しようとする課題】
【０００４】
上記特願２０１１−１５５８０７で提案した燃料給油ユニットは、災害発生時等に有効に機能するが、流量計及び表示器が燃料配送車側に設置されているため、燃料配送車と給油する車輌に距離がある場合には、１人で給油作業を行うと、給油作業中に表示器で給油量を確認することができず、給油量を確認するためには、一旦給油作業を中止して燃料配送車まで足を運ぶ必要があり、作業効率が低下する虞があった。また、作業を２人で行うと給油作業を容易に行うことができるが、その分工数が増加する。
【０００５】
そこで、本発明は、燃料配送車から給油対象物まで距離がある場合にも、給油作業中に給油量を確認することができ、１人で給油操作を円滑に行うことのできる燃料給油ユニット等を構成可能な可搬式流量計を提供することを目的とする。
【課題を解決するための手段】
【０００６】
上記目的を達成するため、本発明は、燃料配送車からの燃料油を、前記燃料配送車の荷卸口に連結された給油ホース及び給油ノズルを介して給油対象物に供給する燃料供給ユニットに用いられ、前記供給される燃料油の流量を計測する可搬式流量計であって、第１ハウジング及び第２ハウジングからなり、流量を計測する計量部を収容するハウジングと、該ハウジングに備えられ、計測した流量を表示する表示部を有する基板と、該表示部の表示が視認可能な表示窓を有し、前記基板を覆うようにして前記第２ハウジングに装着される樹脂カバーとを含む表示器と、前記ハウジングの流体流れの上流側及び下流側に設けられた上流側フランジ及び下流側フランジとを備え、前記樹脂カバーは、前記第２ハウジングに対して向きが変更可能に装着され、前記基板は、前記表示部の表示が前記樹脂カバーの表示窓から視認可能となるように、前記第２ハウジングに対して前記表示窓の向きに応じて向きが変更可能に装着され、前記給油ホースが前記上流側フランジに接続されると共に、前記給油ノズルが前記下流側フランジに接続されることを特徴とする。
【０００７】
本発明に係る可搬式流量計によれば、該可搬式流量計のフランジに燃料配送車の荷卸口に固定された給油ホースと、給油ノズルの各々を固定することで、表示器を給油ノズルの直近に位置させることができるため、手元で容易に給油量の確認をしながら１人で給油作業を円滑に行うことができる。
【０００８】
また、表示部を有する基板を覆うようにして樹脂カバーを第２ハウジングに装着するため、可搬式流量計の軽量化を図ると共に、落下時の衝撃を樹脂カバーで吸収して破損を防止することができる。
【０００９】
さらに、表示部の表示が視認可能な表示窓を有する樹脂カバーを、第２ハウジングに対して向きが変更できるように装着すると共に、表示部を有する基板を、表示部の表示が樹脂カバーの表示窓から視認可能となるように、第２ハウジングに対して表示窓の向きに応じて向きが変更できるように装着することにより、操作者による給油量の確認を、より容易に行うことができる。
【発明の効果】
【００１０】
以上のように、本発明に係る可搬式流量計によれば、給油対象物まで距離がある場合にも、簡単に給油量を確認しながら１人で給油作業を円滑に行うことが可能となる。
【図面の簡単な説明】
【００１１】
【図１】本発明に係る可搬式流量計の断面図である。
【図２】本発明に係る可搬式流量計の斜面図である。
【図３】本発明に係る可搬式流量計の樹脂カバーを取り外した状態を示す斜面図である。
【図４】本発明に係る可搬式流量計の表示器を取り外した状態を示す斜面図である。
【図５】本発明に係る樹脂カバーを示す斜面図である。
【図６】本発明に係る可搬式流量計の使用要領を説明するため全体構成図である。
【発明を実施するための形態】
【００１２】
次に、本発明を実施するための形態について、図面を参照しながら詳細に説明する。
【００１３】
図１乃至図５は、本発明に係る可搬式流量計（以下「流量計」という）の一実施の形態を示し、この流量計１は、大別して、第１ハウジング３及び第２ハウジング４からなるハウジング２と、表示器５とで構成される。
【００１４】
第１ハウジング３は、流入口３ａと、流出口３ｂと、上流側フランジ３ｃと、下流側フランジ３ｄと、ロータ１０を収容する収容部３ｅとを備える。
【００１５】
第２ハウジング４は、第１ハウジング３の上面にねじ２５によって固定され、第１ハウジング３の収容部３ｅに収容されたロータ１０を回転可能に支持する支持部１１と、押下している間のみ点灯し、表示を見やすくするためのバックライト釦１２と、通常時にはスタート釦として使用するが、使い方によってはリセット釦や桁入力釦にもなるスタート釦１３と、通常時にはモード切替釦として使用するが、使い方によっては確定釦にもなるモード切替釦１４と、ロータ１０の回転数を計測して得られた流量等を記憶する記憶部等を有する第１基板１５等を備える。モード切替釦１４により計測した流量の積算値、瞬間流量等を確認することができる。
【００１６】
第１ハウジング３及び第２ハウジング４に跨がって収容されるロータ１０等を備える計量部は、図示を省略するが、ロータ１０の回転数を計測する回転計と、計測された回転数データから流量を演算するＣＰＵ等を備えた第１基板１５等からなり、計測した流量データを表示器５の第２基板１９に送信する。ここで、ＣＰＵに低消費電力タイプを採用することで電池２１を小型化することができると共に、ロータ１０の回転により生じたエネルギーで発電し、電池２１等に蓄えて電池２１の寿命を延ばすこともできる。
【００１７】
表示器５は、給油量、積算量、流量、バッテリー交換時期等を表示する表示部１６と、マグネットを定位置に近づけるとメンテナンスモードに入るマグネットスイッチ１７と、流量計の落下による衝撃から表示器５の内部を保護する樹脂カバー１８と、第２基板１９と、バックライト釦１２を押している間のみ点灯し、表示を見やすくするバックライト２０と、電池２１等で構成される。バックライト２０により夜間の操作性が良好となる。
【００１８】
樹脂カバー１８は、図５に示すように、円筒状の基部１８ａの上方に有蓋円筒状の蓋部１８ｂを備え、基部１８ａの下部には、突出部１８ｃと凹部１８ｄが形成される。
【００１９】
樹脂カバー１８を第２ハウジング４に装着するにあたっては、図４に示すように、第２ハウジング４に凹部４ａ、４ｂが形成され、さらに同図には現れないがもう一つの凹部が存在し、これらの凹部４ａ、４ｂ等は、上面視で周壁４ｚ上に９０度毎に設けられている。そのため、樹脂カバー１８の突出部１８ｃと係合させる凹部４ａ、４ｂ等を変えることで、樹脂カバー１８の表示窓１８ｙ（図１及び図２参照）の向きを変更することができる。
【００２０】
また、第２基板１９を装着するにあたって、図４に示すように、４カ所の立設部２６のねじ穴２６ａに、図３に示すようにねじ２７を螺合させるが、立設部２６のねじ穴２６ａは、上面視で周壁４ｚの中心回りに回転対称となる位置に存在すると共に、４カ所のねじ穴２６ａを同一ピッチで螺設しているため、第２基板１９の表示部１６の向きを樹脂カバー１８の表示窓１８ｙに応じて変更することができる。
【００２１】
マグネットスイッチ１７は、上述のように、マグネットを近づけることによりメンテナンスモードに入るが、このメンテナンスモードでは、例えば、第１基板１５の記憶部に記録されているソフトウエアのバージョンを確認したり、ソフトウエアのエラーチェックを行ったり、トレーニングモードに入ったり、バッテリー交換時の積算量の再登録等を行うことができる。バッテリー交換時の積算量の再登録が可能であるため、従来バッテリー交換時等にリセットする際にメモを取る必要がなくなり、作業効率が向上する。
【００２２】
また、メディアリーダーを設け、第１基板１５の記憶部に記憶されているデータの外部管理をすることもできる。
【００２３】
第２ハウジング４に表示器５を装着するにあたっては、ねじ２２のねじ頭の下方にパッキン２４を設け、板金２３で押さえ込むようにしたため、流量計１が落下して衝撃を受けた場合でも、パッキン２４の弾性により衝撃を吸収することができ、流量計１の破損を防止することができる。
【００２４】
次に、上記構成を有する流量計１の使用方法について、図６を参照しながら説明する。尚、以下の説明では、家庭用のタンク３５に燃料配送車３２から灯油を給油する場合を例にとって説明する。
【００２５】
燃料配送車３２の荷卸口３２ａに連結される給油ホース３３と、給油ノズル３４とを、図１等に示した流量計１の第１ハウジング３の上流側フランジ３ｃ、下流側フランジ３ｄに各々接続する。
【００２６】
給油ノズル３４のノズル部をタンク３５の給油口３５ａに挿入し、流量計１のスタート釦１３を押し、給油ノズル３４を操作して給油を行う。ここで、給油ホース３３を延ばすことで、燃料配送車３２とタンク３５との間にある程度距離がある場合でも対応することができる。また、流量計１を給油ノズル３４の直近に設けることにより、手元で表示器５に表示された給油量等を確認しながら給油作業を行うことができ、１人で給油操作を円滑に行うことが可能となる。
【００２７】
また、上記流量計１の第１ハウジング３の上流側フランジ３ｃ及び下流側フランジ３ｄの寸法を変えることで、種々のホース、ノズルのサイズに対応することができる。
【符号の説明】
【００２８】
１  可搬式流量計
２  ハウジング
３  第１ハウジング
３ａ  流入口
３ｂ  流出口
３ｃ  上流側フランジ
３ｄ  下流側フランジ
３ｅ  収容部
４  第２ハウジング
４ａ、４ｂ  凹部
４ｚ  周壁
５  表示器
１０  ロータ
１１  支持部
１２  バックライト釦
１３  スタート釦
１４  モード切替釦
１５  第１基板
１６  表示部
１７  マグネットスイッチ
１８  樹脂カバー
１８ａ  基部
１８ｂ  蓋部
１８ｃ  突出部
１８ｄ  凹部
１８ｙ  表示窓
１９  第２基板
２０  バックライト
２１  電池
２２  ねじ
２３  板金
２４  パッキン
２５  ねじ
２６  立設部
２６ａ  ねじ穴
２７  ねじ
３２  燃料配送車
３２ａ  荷卸口
３３  給油ホース
３４  給油ノズル
３５  タンク
３５ａ  給油口
【図１】
2014238418.tif 000003
【図２】
2014238418.tif 000004
【図３】
2014238418.tif 000005
【図４】
2014238418.tif 000006
【図５】
2014238418.tif 000007
【図６】
2014238418.tif 000008